(57)【要約】      （修正有）【課題】横風や向かい風の時に使用するジブセールと追い風時の帆であるスピンセールを交換する必要がなく、また停泊時などには完全に綺麗に巻き取り終えセールを保護することができるセールを提供する。【解決手段】ヨットの前部に揚げるセールを従来のジブセールの左右２枚分を一枚にした左右非対称菱形のセールにする。追い風時はセールを左右に広げて帆走し、船が変針し風向が変化し横風または向かい風となった場合、セールは自然と左右どちらかに重なり従来のジブセールと同様の形態となる。再度追い風時となるとセールは自然と左右に広がりスピンセールと同様な形態となる。巻き取り装置１０で巻き取る事により、セールを縮小して横風、向かい風時又は追い風の強風時に同一のセールで簡単に安定して帆走できる。また左右非対称菱形であるため停泊時には巻き取り装置で巻き取り終えた時に綺麗に重なりセールを保護できる。【選択図】図６
2011213335.tif 000002
【特許請求の範囲】
【請求項１】
ヨットの帆走に使用するセールで、ヨットの前部に揚げる従来の帆（ジブセールと云われる帆）左右２枚分を１枚にした形状のセールで図１のとおりトップのアウトホール１を１個、クリューアウトホール２を左右各１個、ボトムのアウトホール３を１個有し、セール保護用のカバーを装着しようとする側が巻き取り装置の円周差分大きく作られており、ヨットに装備されている巻き取り装置で巻き取り終えた時に綺麗に重なりセールを保護できる左右非対称で菱形の追い風専用セールを兼用でき、向かい風や横風時には左右が自ずと重なりジブセールとして使用できるセール。
【発明の詳細な説明】
【技術分野】
【０００１】  本発明はヨットでセーリングを行おうとする時に追い風専用セール（スピンセールと云われる）とヨットの前部に揚げる帆（ジブセールと云われる帆）を兼用する事により、従来は風に合わせてその都度セール交換を行っていたが、１枚２役としたことで煩雑な作業を無くしシングルハンド（一人乗りの帆走）でも容易にスピンランができるセールで、多くのヨットですでに装備されている巻き取り装置を用いて巻き取り終えた時に綺麗に重なるセールに関する。
【背景技術】
【０００２】  従来のヨット帆走では風向きに合わせて、横風または向かい風の時に使用するジブセールと追い風時の帆であるスピンセールを交換する必要があった。
【参考文献】
雑誌  ＫＡＺＩ誌２００５年２月号
【参考写真】
１  横風時に従来のジブセールを縮小して帆走
【参考写真】
２  追い風時に従来のスピンセールで帆走
【発明の概要】
【発明が解決しようとする課題】
【０００３】  従来のヨット帆走では風向きに合わせて、横風または向かい風の時に使用するジブセールと追い風時の帆であるスピンセールを交換する必要があった。スピンセールは掲げるのに煩雑な操作が必要で取り扱いが困難でもあった。これを避ける為訓練不足のクルーでは追い風時でもジブセールをそのまま使用して低速で帆走しなければならなかった。特にシングルハンド（一人乗りの帆走）ではセールを交換しスピンセールを揚げて追い風の中帆走する事はきわめて困難であった。
当セールに類似するセールは過去に考案された経緯はあるものの強風時などに巻き取り装置で巻き取りセール面積を縮小する事を想定した形状を成しておらず、また停泊時などには完全に綺麗に巻き取り終えセールを保護することも解決していなかった為天候の変化する海上では実用にならず使用されていない。
【課題を解決するための手段】
【０００４】  姿図１の様に、セール形状を従来のジブセール２枚分の左右非対称菱形とし、横風または向かい風の時は図４の様に重ねて使用する。セールは変針に合わせて自ずと重なったり展開したりするので、追い風時などは左右を広げてスピンセールとして使用するのに煩雑な操作は必要ない。停泊時は別途付帯できる保護用のカバーを有する側が巻き取り装置の円周差分大きく作られており、多くのヨットで装備されている巻き取り装置で巻き取り終えた時に綺麗に重なりセールを保護できる左右非対称とする。既存の巻き取り装置を改造せずに使用できるようにトップのアウトホールとボトムのアウトホールは各１個としている。【０００５】  図３の様に、追い風時はセールを左右に広げて帆走するが、船が変針し風向が変化し横風または向かい風となった場合は図４の様にセールは自然と重なり従来のジブセールと同様の形態となる。再度追い風時となるとセールは自然と左右に広がりスピンセールと同様な形態となる、この間クルーはセールの煩雑な操作をする必要がない。【０００６】  強風時にセールの揚力が大きすぎ、セールを縮小して帆走したい場合は、図６・図７の様に巻き取り装置で巻き取りセールを縮小して安定して帆走できる。
【発明の効果】
【０００７】  風向きに合わせて、横風または向かい風の時に使用するジブセールと追い風時の帆であるスピンセールを交換する必要が無く、スピンセールなど掲げるのに煩雑な操作が不要となり、帆走途中で強風になってもセールを容易に縮小できるので訓練不足のクルーでも追い風で容易にスピンランができる。【０００８】  シングルハンド（一人乗りの帆走）ではセールを交換しスピンセールを揚げて追い風の中帆走する必事はきわめて困難であったが追い風で容易にスピンランができる。また従来は真追っ手の風では帆走することは困難であったが本セールでは容易となる。【０００９】  セールを左右非対称菱形としたことで停泊時は保護用のカバーを別途付帯する側が巻き取り装置の円周差分大きく作られており、巻き取り装置で巻き取り終えた時に綺麗に重なりセールを保護できる。
【図面の簡単な説明】
【００１０】
【図１】  本発明セールの全体姿図
【図２】  横風又は向かい風の時重なりあったセールの姿図
【図３】  追い風の時の帆走姿図
【図４】  横風又は向かい風の時の帆走姿図
【図５】  追い風の時にセールを高く掲げた帆走姿図
【図６】  追い風の強風時にセールを巻き取り縮小した帆走姿図
【図７】  横風又は向かい風の強風時にセールを巻き取り縮小した帆走姿図
【発明を実施するための最良の形態】
【００１１】  重ねて使用する時はセールがフォアステー６に重なり摩擦でセールが固定されるのでセールは単純な一枚セールでよいがトップのアウトホール１とボトムのアウトホール３の間に巻き取り装置に緊結し巻き取りを確実にする為のグルーブ（セールの縁処理）を付帯するのも良い。
【産業上の利用可能性】
【００１２】  類似するセールは考案された経緯はあるものの強風時などに巻き取り装置で巻き取りセール面積を縮小する事を想定した形状を成しておらず、また停泊時などには完全に綺麗に巻き取り終えセールを保護することも解決していなかった為実用にならず使用されていない。本セールは既存の巻き取り装置に簡単に装着でき、この点を簡潔に解決したことによりヨットの航行範囲や風域を広げマリン産業の奨励に寄与する。
【符号の説明】１  トップのアウトホール
２  左右のクリューアウトホール
３  ボトムのアウトホール
４  保護用のカバーを付帯する為の非対称の大きい部分
５  ジブシート（セール操作ロープ）
６  フォアステーと巻き取り装置
７  ヨット船体
８  ボトムのアウトホール用ブロック（滑車）
９  ボトムのアウトホール用シート（ロープ）
１０セールを巻き取り途中の巻き取り装置
１１マスト
【図１】
2011213335.tif 000003
【図２】
2011213335.tif 000004
【図３】
2011213335.tif 000005
【図４】
2011213335.tif 000006
【図５】
2011213335.tif 000007
【図６】
2011213335.tif 000008
【図７】
2011213335.tif 000009